(57)【特許請求の範囲】
【請求項１】
ユーザ・インタフース（１３０）；
第１のハウジングに内蔵され、一次通信システム（１０４）との無線通信用に構築された一次トランシーバ（１２４）であって、前記一次トランシーバを制御する一次コントローラ（１４６）を備える一次トランシーバ（１２４）；
第２のハウジングに内蔵され、かつ二次通信システム（１０６）との無線通信用に構築され、二次コントローラ（１６６）を備える二次トランシーバ（１２６）であって、前記第２のハウジングが前記第１のハウジングに分離可能に結合され、前記ユーザ・インタフェースが前記二次コントローラに結合される二次トランシーバ（１２６）；および
前記一次コントローラと前記二次コントローラとの間に分離可能に結合されて、データを通信する通信バス（１３２）；
によって構成され、前記二次コントローラは、前記二次トランシーバにおける電源オン動作を検出し、前記二次トランシーバの動作を望まない場合、前記一次トランシーバの電源オン動作を実行して前記一次通信システムでの通信を開始し、前記一次通信システムとの通信が利用できない場合、前記二次コントローラは、前記一次トランシーバの電源オフ動作を実行して前記二次通信システムでの通信を開始することを特徴とする通信装置（１０２）。
【請求項２】
前記ユーザ・インタフェースが、前記二次コントローラに結合されて、ユーザ入力を表すキープレス・データを提供するキーパッド（１３６）によって構成され、前記二次コントローラが、前記一次トランシーバを制御するキープレス・データを、前記キーパッドから前記通信バスへ送り、前記一次トランシーバに通信することを特徴とする請求項１記載の通信装置。
【請求項３】
前記ユーザ・インタフェースが、前記二次コントローラに結合され、前記一次コントローラおよび前記二次コントローラから表示データを受信することを特徴とする請求項１記載の通信装置。
【請求項４】
前記二次コントローラが、前記一次コントローラから前記ディスプレイへの表示データを検出して、前記一次通信システムの使用可能性を判定するよう構築されることを特徴とする請求項３記載の通信装置。
【請求項５】
前記一次通信システムが使用可能な場合に、前記一次トランシーバが、前記ディスプレイ上に指標を起動させるために指標データを生成し、前記二次コントローラが前記指標データを検出して、前記一次通信システムの使用可能性を判定することを特徴とする請求項４記載の通信装置。
【発明の詳細な説明】
【０００１】
【産業上の利用分野】
本発明は、一般に通信装置に関する。さらに詳しくは、本発明は、二重モードまたは多重モード通信装置と、このような装置を動作する方法とに関する。
【０００２】
【従来の技術発明が解決しようとする課題】
二重モード通信装置とは、２つ以上の通信モードにおいて無線通信などの通信を行うよう構築される通信装置である。たとえば、このような通信モードとしては、デジタルおよびアナログ信号化，通信毎に異なる周波数帯域および異なる通信プロトコルによる通信がある。このようなプロトコルの例には、AMPS（Advanced Mobile Telephone Service ），J-STD-009 による北米デジタル・セルラ・サービス（North American Digital Cellular service ），PCS IS-136準拠移動局最低性能１９００MHz 規準（Mobile Station Minimum Performance 1900 MHz Standard）およびJ-STD-010 ，PCS IS-136準拠基地局最低性能１９００MHz 規準（Base Station Minimum Performance 1900 MHz Standard）（「IS-136」）；二重モード広帯域拡散スペクトル・セルラ・システムに関するEIA/TIA 暫定規準９５移動局−基地局互換性規準（EIA/TIA interim standard 95 Mobile Station-Base Station Compatibility Standard for Dual-Mode Wideband Spread Spectrum Cellular System ）（「IS-95 」）による符号分割多重接続（CDMA: Code Division Multiple Access ）無線電話サービス；汎ヨーロッパ・デジタル化移動体通信システム（「GSM ： Global System for Mobile Communication 」）；およびIridium, L.L.C. により提案されるような衛星プロトコル（「イリジウム；」イリジウム（登録商標）（Iridium ）はIridium, L.L.C. の商標およびサービスマークである）。通常の通信システムは、限られた地域内にこれらのモードのうちの１つのモードにおいて通信を行う。二重モード通信装置は、これらのモードのうち１つ以上のモードを用いて通信を行うことができる。
【０００３】
既存の二重モード無線電話には、ある種のセルラ電話が含まれる。たとえば、IS-136およびIS-95 によるセルラ電話は、アナログ・モードにおいてもデジタル・モードにおいても動作可能である。IS-136によるセルラ電話は、８００MHz 付近の第１周波数帯域と、１９００MHz 付近の第２周波数帯域とで動作するので、二重帯域通信装置となる。このような無線電話は、異なるモードにおいて１種類の通信システムと通信を行う。
【０００４】
このような従来の無線電話には、システムのカバレージが地理的に限定されるという制約がある。無線電話が、システムの境界を超えて新しい地域に移動されると、その無線電話におけるサービスは使用不能となる。新しい地域では他のシステムがサービスを提供するが、そのサービスが無線電話と互換性を持たないと、無線電話はシステムと通信することができない。さらに、システム上のサービスが、一時的に使用できないことがある。他の（互換性をもたない）システムが同じ地域にサービスを提供しても、その無線電話を使用することはできない。
【０００５】
複数の独立した通信システムにおいて動作することのできる新種の無線電話の構想がある。これにより、特定の地域内で、この新型の無線電話は、GSM システムなどの地上システムとイリジウム・システムなどの衛星システムと通信を行うことができる。別の地域においては、無線電話は２つの地上システムと通信することができる。
【０００６】
衛星セルラ・システムおよび次世代のセルラ・システム上で使用可能な無線電話に対する市場の需要は、無線電話が二重製品フォーマットにおいて複数のセルラ・システム上で動作することを求める。しかし、多くの動作モードを処理するために単独のハードウェアおよびソフトウェア・アーキテクチャが設計される統合型アプローチは、市場に出すための技術的努力と時間に関して、非常にコストがかかる。このような開発には、１年以上かかることがある。無線電話産業に現在ある寸法と価格に関する大きな制約があっても、新型の製品開発に対する簡略なアプローチが必要になる。
【０００７】
従って、これらの問題を解決する二重モード通信装置と、このような装置を動作する方法とが当技術において必要である。
【０００８】
【実施例】
図１を参照して、通信装置１０２は、第１通信システム１０４および第２通信システム１０６を含む複数の通信システムにおいて動作可能である。図示される実施例においては、第１通信システム１０４は、第１基地局１０８，第２基地局１１０，第３基地局１１２およびネットワーク・コントローラ１１４を備える。第２通信システム１０６も同様に、第１基地局１１５，第２基地局１１６，第３基地局１１８およびネットワーク・コントローラ１２０を備える。各通信システム内の各基地局は、基地局に隣接する固定地域内の通信装置１０２などの移動局との無線通信を行う。各通信システム内のネットワーク・コントローラは、移動局と通信システムの基地局との間の通信を制御し、公衆電話交換網（PSTN: public switched telephone network ）への通信リンクを提供する。
【０００９】
図示される実施例においては、第２通信システム１０６は、第１通信システム１０４から自律(autonomous)する。通信システムは、互いに独立するという意味で、自律的である。たとえば、これらの通信システム間には、ほとんどあるいは全く通信が行われず、そのタイミングは同期しない。この２つの通信システム間には、ハンドオフに対する備えがない。各システムは、他のシステムに対する知識を持たない。通信装置１０２は、各システムと独立して通信を行う。
【００１０】
図１には２つの通信システムが図示されるが、通信装置１０２が位置する地域にサービスを提供する通信システムはいくつあっても構わない。これには、イリジウム・システムなどの衛星通信システムおよびAMPSシステム，GSM システム，IS-136システム，IS-95 システム他などの地上システムが含まれる。また、通信システムは、９００MHz のGSM および１８００MHz のGSM などのように、異なる周波数範囲で動作することができる。また、第１通信システム１０４および第２通信システム１０６は地上システムとして図示されるが、一方または両方が、基地局の機能を実行する軌道衛星または静止衛星をもつ衛星システムでもよい。
【００１１】
通信装置１０２は、アンテナ１２２，第１モードにより動作可能な第１無線機１２４，第１無線機に結合され第２モードにより動作可能な第２無線機１２６，バッテリ１２８，ユーザ・インタフェース１３０および通信バス１３２を具備する（図２）。第１無線機１２４および第２無線機１２６は、コネクタ１３４により電気的に結合される。第１無線機１２４，第２無線機１２６，ユーザ・インタフェース１３０および通信バス１３２は、ハウジング１３１内に内蔵される。代替の実施例においては、第２無線機１２６およびユーザ・インタフェース１３０は、第１ハウジング内に、また第１無線機は第２ハウジングあるいは分離可能なモジュール内に内蔵される。このようにして、第２無線機を第１無線機から（コネクタ１３４において）取り外して、第３動作モードを提供する他の無線機モジュールと入れ替えることもできる。
【００１２】
通信装置１０２は、第１モードによる通信と、第２モードによる通信とに関して設定されるので、二重モード通信装置である。図示される実施例においては、第１モードは、第１無線機１２４を用いる一次モードによる第１通信システム１０４上の無線通信によって構成され、第２モードは、第２無線機１２６を用いる二次モードによる第２通信システム１０６上の無線通信によって構成される。さらに詳しくは、第１モードは、地上通信システムにおける無線通信によって構成され、第２モードは衛星通信システムにおける無線通信によって構成される。
【００１３】
第１無線機１２４および第２無線機１２６は、それぞれ個々のモードにおいて動作するために開発された完成済みトランシーバを形成する。たとえば、このような通信モードには、デジタルおよびアナログ信号化，異なる通信周波数帯域およびGSM ，IS-95 またはイリジウムなどの異なる通信プロトコルによる通信が含まれる。図示される実施例においては、第１無線機１２４は、完成済みGSM トランシーバであり、一次通信システムとの無線通信のために構築される一次トランシーバを形成する。第２無線機は、完成済みイリジウム・トランシーバであり、第２通信システムとの無線通信のために構築される二次トランシーバを形成する。
【００１４】
好ましくは、通信装置１０２は、第１無線機１２４の完成済みトランシーバと、第２無線機１２６の完成済みトランシーバとを、通信装置１０２の他の部品と組み立てることにより作成される。この方法で、従来の既存の無線機トランシーバ回路基板を第１無線機および第２無線機のために用いることができ、通信装置の製造コストと、通信装置を開発するために要する時間とを削減する。
【００１５】
ユーザ・インタフェース１３０は、第１無線機１２４と第２無線機１２６の両方に共通である。ユーザ・インタフェース１３０は、キーパッド１３６およびディスプレイ１３８を備える。キーパッド１３６は、ユーザ入力を表すキープレス・データを提供する。多重キー・キーパッドに加えて、キーパッド１３６は触覚ディスプレイおよびその他のユーザ動作スイッチを具備することもある。ディスプレイ１３８は、表示データを受信し、視覚的あるいは可聴ディスプレイを生成する。ディスプレイ１３８は、発光ディスプレイ（LED: light emitting display ），液晶ディスプレイ（LCD: liquid crystal display ）またはこれらとその他の種類のディスプレイを組み合わせたものとすることができる。ディスプレイ１３８は、英数字キャラクタを生成するために起動される個々のキャラクタまたはセグメントを備えるか、あるいは起動することのできるアイコンをオプションで備える。たとえば、第１無線機１２４または第２無線機１２６が通信システムとのサービスの使用可能性を検出したことを標示するために１つのアイコンを点灯することができる。他のアイコンは、ロ−ミング，受信信号強度，バッテリ・レベルなどに関する情報を提供する。ユーザ・インタフェース１３０には、キーパッド１３６およびディスプレイ１３８だけでなく、他の要素が含まれることもある。
【００１６】
第１無線機１２４は、トランシーバ１４０，電力コントローラ１４２，デジタル信号プロセッサまたはDSP １４４，プロセッサ１４６およびバス・インタフェース・チップ１４８を具備する。図示される実施例のように、第１無線機１２４が完成済みトランシーバである場合は、第１無線機１２４はユーザ・インタフェースなどの他の構成部品を備えることになる。このような構成部品は、本発明に特有ではないので、図面を過剰に複雑にしないために、図１には図示されない。
【００１７】
トランシーバ１４０は、アンテナ１２２に結合され、第１通信システム１０４および第２通信システム１０６に無線信号を通信する。このようなトランシーバ回路は、当技術においては周知である。
【００１８】
電力コントローラ１４２は、第１無線機１２４の動作電力を制御および規制する。電力コントローラ１４２は、バッテリ１２８からコネクタ１３４を介して動作電力を受け取る。電力は、図２でEXT_PWR/BATT+ と記されるコネクタ１３４上のピンから入力１５０に送られる。電力コントローラ１４２は、さらにコネクタ１３４上のPWR_SWと記されるピンに結合される入力１５２を備える。この入力１５２に受信される信号に応答して、電力コントローラ１４２は第１無線機１２４の一部分の電源を切る。
【００１９】
DSP １４４は、音声の符号化および解読に用いられる。典型的なセルラおよび衛星通信システムにおいては、音声はデジタルに符号化されて送信され、受信機において解読される。DSP １４４は、音声符号化および解読機能を提供し、他の処理機能も同様に実行する。
【００２０】
プロセッサ１４６は、一次トランシーバ、すなわち第１無線機１２４を制御する一次コントローラを形成する。プロセッサ１４６は、好ましくは、関連のメモリ内に格納される命令の所定のプログラムに従って動作するマイクロプロセッサまたはマイクロコントローラである。命令のプログラムは、第１無線機１２４のハードウェア要素と共に、第１無線機１２４が動作するモード、たとえば９００MHz のGSM などを決定する。バス・インタフェース・チップ１４８は、プロセッサ１４６を通信バス１３２に結合する。
【００２１】
第２無線機１２６は、トランシーバ１６０，電力コントローラ１６２，DSP １６４，プロセッサ１６６，通信バス１３２に結合されるバス・インタフェース・チップ１６８，ユーザ・インタフェース１３０に結合されるバス・インタフェースチップ１７０および音声コ−デック（符号器／復調器）１７２を具備する。第２無線機１２６は完成済みトランシーバなので、この要素の多くは第１無線機１２４の類似の要素と設計および動作において同等である。しかし、第２無線機１２６は第１無線機１２４とは異なるモードにより動作するので、異なる要素がある。たとえば、通信装置１０２が２つの異なる周波数帯域上で動作可能な二重帯域無線機である場合は、トランシーバ１４０およびトランシーバ１６０は、それぞれ、個々の動作帯域に関して最適化されることになる。
【００２２】
電力コントローラ１６２は、バッテリ１２８から動作電力を受け取る入力１７４を有する。電力コントローラ１６２は、無線機の各部に対する電力の印加を制御する。たとえば、第２無線機１２６が非能動状態（インアクティブ）のときは、電力コントローラ１６２は第２無線機１２６の一部分の電源を切って、バッテリ電力を節約する。電力コントローラ１６２は、図２のPSR_SWと記された信号を受信するために、キーパッドに結合される入力１７６を有する。ユーザが通信装置１０２を起動する、あるいはオンにしたい場合は、ユーザはユーザ・インタフェース１３０のスイッチを作動させる。このようなスイッチの例としては、キーパッド１３６上のキーや、あるいは通信装置１０２が折りたたみ可能な無線電話の場合はヒンジ作動スイッチがある。この作動に応答して、電力コントローラ１６２は、ユーザによる電源オン・キープレスを知らせる出力１７８の信号をプロセッサ１６６の入力１８０に送り、通信装置１０２をオンにする。
【００２３】
DSP １６４は、音声符号化および解読を実行する。DSP １６４は、音声を表す信号を通信する音声コ−デック１７２に結合される。音声は、リンガ１８２，スピーカ１８４およびマイクロフォン１８６に結合され、これらはユーザ・インタフェース１３０の一部と考えることができる。リンガ１８２は、着信呼およびその他の条件の可聴警告を行う。スピーカ１８４は、可聴音声およびその他の音声をユーザ用のイアピースに送り、マイクロフォン１８６は可聴音声を検出し、それに応答して信号を生成する。DSP １６４は、バス・インタフェース・チップ１７０に結合され、付属装置コネクタ１８８への接続を行って、たとえば音声データを、遠隔のハンドセットまたはヘッドセットなどの外部付属装置に通信する。DSP １６４は、バス・インタフェース・チップ１６８にさらに結合され、DSP １６４から第１無線機１２４に対して音声データを通信する。スピーカ１８４とマイクロフォン１８６から第１無線機１２４に宛てられるすべての音声データは、この要領で通信される。
【００２４】
バス・インタフェース・チップ１７０は、ユーザ・インタフェース１３０に結合され、キーパッド１３６からキープレス・データを受け取り、表示データをディスプレイ１３８に送る。バス・インタフェース・チップ１７０は、プロセッサ１６６にも結合される。バス・インタフェース・チップ１７０とプロセッサ１６６との間の接続には、チップ選択，アドレスおよびデータ線路，割込要求線路およびクロック線路が含まれる。バス・インタフェース・チップ１７０は、SIM カードと通信する加入者識別モジュールまたはSIM インタフェース１９０にも結合される。GSM およびイリジウムなどの通信システムには、ユーザ識別子の認証および確認のためにSIM カードの利用を求めるものがある。
【００２５】
バス・インタフェース・チップ１６８は、プロセッサ１６６と通信バス１３２との間に結合されて、第１無線機１２４と第２無線機１２６との間にデータを通信する。このようなデータは、チップ選択，アドレスおよびデータ線路１９２を用いて伝えられる。バス・インタフェース・チップ１６８は、割込要求線路１９４を用いて、割込条件を通知する。
【００２６】
プロセッサ１６６は、第２トランシーバすなわち第２無線機１２６を制御する二次コントローラを形成する。プロセッサ１６６は、好ましくは、関連のメモリに格納される命令の所定のプログラムにより動作するマイクロプロセッサまたはマイクロコントローラである。命令のプログラムは、第２無線機１２６のハードウェア要素と共に、第２無線機１２６が動作するモードを決定する。前述の接続に加えて、プロセッサ１６６は、監視線路１９６に結合され、第１無線機１２４からステ−タス情報を受け取る。
【００２７】
本発明により、通信バス１３２は、２つの完成済みトランシーバ、すなわち第１無線機１２４と第２無線機１２６との間に通信を行う。第２無線機１２６のプロセッサ１６６は、第１無線機１２４により提供される第１通信モードと、第２無線機１２６により提供される第２通信モードとの間の移行を含めて、通信装置１０２の動作を制御する。第１無線機１２４に関して、通信バス１３２は第１無線機１２４とユーザ・インタフェース１３０との間に、すべてのキープレス，ディスプレイ，状況トーン，警告およびSIM 情報を通信する。第２無線機１２６に関するこのような情報は、ユーザ・インタフェースと第２無線機１２６との間に直接通信される。かくして、第２無線機１２６は第１無線機１２４と通信する遠隔周辺機器または遠隔ハンドセットの様相をとる。
【００２８】
第２無線機１２６のプロセッサ１６６は、一次（第１無線機１２４）動作モードと二次（第２無線機１２６）動作モードの両方について、すべてのキープレスを読み取る。一次モードにおいては、すべてのキープレス（電源オン／オフを除く）がプロセッサ１６６から、第２トランシーバ基板上のバス・インタフェース・チップ１６８に通信され、通信バス１３２を介して通信される。キープレス・データは一次トランシーバ基板のバス・インタフェース・チップ１４８により受信され、プロセッサ１４６に伝えられる。プロセッサ１４６は、キープレス・データが第１無線機１２４の一部であるキーパッドで発生したかのように、従来の方法でキープレス・データを検出する。
【００２９】
すべてのキープレスは、第２無線機１２６のプロセッサ１６６により読まれるので、プロセッサ１６６は、一次モードでの動作時はユーザ機能の可能化および不能化を監視することができる。二次トランシーバにおいてこれと同じ機能が可能化（イネ−ブル）または不能化（ディセ−ブル）され、一次モードについても二次モードについても、一貫したマン−マシン・インタフェースをユーザに提供する。
【００３０】
第２無線機１２６のプロセッサ１６６は、表示データのディスプレイ１３８への書込を制御する。第２無線機１２６の表示データは、直接ディスプレイ１３８に書き込まれる。第１無線機１２４の表示データは、プロセッサ１４６から第１無線機１２４のバス・インタフェース・チップ１４８に伝えられ、通信バス１３２を介して通信される。表示データは、第２無線機１２６のバス・インタフェース・チップ１６８により受信されて、プロセッサ１６６に伝えられる。プロセッサ１６６は、表示データを読み込み、適切な表示データまたはその他のコマンドをディスプレイ１３８に書き込む。
【００３１】
本発明により、第２無線機１２６のプロセッサ１６６は、第１無線機と第１通信システム１０４との間の通信状況を評価する。一次トランシーバ、すなわち第１無線機１２４は、指標データを生成して、「サービスなし」指標または「ロ−ミング」指標などの指標をディスプレイ１３８上に起動する。二次コントローラすなわちプロセッサ１６６は、この指標データを用いて状況（ステ−タス）を判断する。たとえば、「サービスなし」指標を点灯する指標データから、プロセッサ１６６は第１通信システムが使用可能であるか不可能であるかを判断する。同様に、ディスプレイ１３８上に「ロ−ミング中」指標を点灯する指標データから、プロセッサ１６６は通信装置が移動中であり、サービス・プロバイダによる課金が高くなる可能性があると判断する。このような判断をプロセッサ１６６が用いて、たとえば、その場合の課金が第１通信システムの移動中課金よりも安い場合は、第２通信システムを選択することがある。
【００３２】
SIM インタフェース１９０で通信されるSIM データも同様に処理される。第２無線機１２６に関するSIM データは、プロセッサ１６６から直接的にバス・インタフェース・チップ１７０に通信され、そこからSIM インタフェース１９０に通信される。第１無線機に関するSIM データは、通信バス１３２を介してプロセッサ１４６からプロセッサ１６６に通信される。プロセッサ１６６は、SIM データを読み、適切なコマンドをバス・インタフェース・チップ１７０に発して、SIM ンタフェース１９０に転送する。
【００３３】
第２無線機１２６においては、第２通信システム１０６から受信された音声データは、プロセッサ１６６によりDSP １６４に伝えられて、解読される。解読されたデータは１７２に伝えられ、スピーカ１８４に送られて、可聴音声を生成する。マイクロフォン１８６からの音声データはDSP １６４に伝えられ、符号化される。符号化された音声データは、プロセッサ１６６に伝えられて、トランシーバ１６０により第２通信システム１０６に送信される。
【００３４】
第１無線機１２４においては、第１通信システム１０４から受信された音声データは、トランシーバ１４０によりプロセッサ１４６に伝えられる。音声データは、DSP １４４に伝えられ、音声を表すデジタル・データに解読される。このデジタル・データがバス・インタフェース・チップ１４８に伝えられ、通信バス１３２を介して第２無線機１２６に通信され、バス・インタフェース・チップ１６８によって受信される。デジタル音声データは、DSP １６４，１７２およびスピーカ１８４に伝えられ、可聴音声を生成する。マイクロフォン１８６からの音声データはDSP １６４に伝えられ、デジタルに符号化される。デジタル・データは、通信バスを介して第２無線機１２６から第１無線機１２４に伝えられ、DSP １４４により符号化されて、プロセッサ１４６およびトランシーバ１４０に伝えられ、第１通信システムに送信される。警告およびリンガ・トーンを含むその他の音声データも、同様に処理される。
【００３５】
プロセッサ１６６は、リセット信号を発声して、通信装置を周知の初期状態にリセットすることができる。このリセット信号は、コネクタ１３４に送られ、第１無線機１２４に通信される。かくして、無線機リセットが行われると、一次トランシーバおよび二次トランシーバが両方とも、プロセッサ１６６の制御下でリセットされる。
【００３６】
図３を参照して、図１、図２の通信装置を電源投入サイクル中に動作する方法を示す流れ図が図示される。本方法は、通信装置が電源オフ条件にある状態で、段階２００において開始される。
【００３７】
段階２０２において、第２無線機が電源オン・キープレスなどの電源オン動作を検出する。その他の種類の電源オン動作としては、折りたたみ可能な無線機またはキーパッド・カバーを開けるか、アンテナを延ばす動作がある。電源オン動作が検出されると、段階２０４において、二次トランシーバすなわち第２無線機が電源投入ルーチンを開始する。これには初期化および自己診断ルーチンが含まれる。
【００３８】
段階２０６において、第２無線機はユーザが二次動作モードを占有的に(exclusively) 選択したか否かを判断する。これは 、図示される実施例においては、第２無線機と第２通信システムとの間の通信に相当する。イエスの場合は、制御は段階２２８に進む。第２無線機の動作を望まない場合は、段階２０８で、第２無線機のプロセッサが、トランシーバなどの第２無線機の必要でない部分の電源を切る。段階２１０において、第２無線機は、コネクタ上に第１無線機に対して送られるPWR_SW信号において、第１無線機の電源オン動作をエミュレ−トする。段階２１２において、一次トランシーバすなわち第２無線機が、初期化および自己診断ルーチンを含む電源投入ルーチンを開始する。
【００３９】
段階２１４において、第１無線機は第１通信システムの探索を開始する。この探索プロセスには、たとえば、予め割り当てられた周波数上で、制御チャネルの位置を特定する試みが含まれる。段階２１６において、一次システム、すなわち第１通信システムが発見されたか否かが判定される。これは、たとえば、第１無線機からディスプレイへの表示データを監視して、「サービスなし」指標をオフにする指標データを捜すことにより実行される。一次システムの位置が特定されると、段階２１８において、第１無線機は、一次システムに登録しようとし、この登録の試みが成功したか否かを判断する。第１無線機が一次システムへの登録に成功した場合は、段階２２０において通信装置は、第１無線機を用いる第１システムでの着信呼または通信開始などの行動を一次システム上で待機する。
【００４０】
第１通信システムとの通信が利用できない場合は、通信装置は第２無線機により第１無線機の電源遮断動作をエミュレ−トする。段階２１６でシステムの位置特定ができなかったり、段階２１８で登録ができなかった場合は、制御は段階２２４に進む。段階２２４で、第２無線機はPWR_SW線上で電源オフ・キープレスをエミュレ−トすることにより一次無線機の電源を切る。ここで、第２無線機は、第２無線機を用いる通信を開始する。段階２２６で、第２無線機は二次トランシーバおよび無線機通信に必要な第２無線機の他の要素の電源を投入する。
【００４１】
段階２２８において、第２無線機は第２通信システムを捜す。システムの位置が特定されると、段階２３０で、第２無線機はシステムに登録し、段階２３２で、第２システム上での行動を待機する。方法は段階２３４で終了する。
【００４２】
前記の説明から分かるように、本発明は多重の独立した通信システム上で動作することのできる通信装置を提供する。この通信装置は、第１地域内の第１通信システムおよび第２地域内の第２通信システムと通信を行うことができる。通信装置は、各通信システムに関して１つずつ、既存のトランシーバ基板を用いて製造することができる。これにより、新規の完全に統合された多重モード通信装置を開発することに伴う時間と経費が削減される。また製造中に異なるトランシーバ・モードを含めて、異なる機能をもつ二重モード無線機製品を提供することもできる。
【００４３】
本発明の特定の実施例が図示および説明されたが、改良も可能である。たとえば、３つ以上の無線機を組み合わせて３モードまたはその他の多重モード通信装置を作成することができる。
【図面の簡単な説明】
【図１】通信装置および複数の通信システムのブロック図である。
【図２】通信装置の詳細を示すブロック図である。
【図３】図１の通信装置の動作を示す流れ図である。
【符号の説明】
１０２  通信装置
１０４，１０６  通信システム
１０８，１１０，１１５，１１６，１１２，１１８  基地局
１１４，１２０  ネットワーク・コントローラ
１２２  アンテナ
１２４，１２６  無線機
１３０  ユーザ・インタフェース
１３１  ハウジング
１３４  信号コネクタ
１３６  キーパッド
１３８  ディスプレイ
１４０，１６０  トランシーバ
１４２，１６２  電力規制コントローラ
１４４，１６４  ボコーダ・デジタル信号プロセッサ（DSP ）
１４６，１６６  マイクロプロセッサ
１４８，１７０  バス・インタフェース・チップ（マスタ・モード）
１５０，１５２，１７４，１７６，１８０  入力
１６８  バス・インタフェース・チップ（周辺モード）
１７２  音声
１７８  出力
１８２  リンガ
１８４  スピーカ
１８６  マイクロフォン
１８８  付属装置コネクタ
１９０  SIM インタフェース
１９２  チップ選択，アドレスおよびデータ線路
１９４  割込要求線路
１９６  監視線路
Ａ  PSTNへ／から
Ｂ  一次トランシーバ基板
Ｃ  二次トランシーバ基板
Ｄ  リセット
Ｅ  クロック
Ｆ  キーパッド・インタフェース
Ｇ  ディスプレイ・インタフェース
Ｈ  付属装置インタフェース
Ｊ  SIM コンタクト
【図１】
0004494541.tif 000002
【図２】
0004494541.tif 000003
【図３】
0004494541.tif 000004